(57)【要約】【課題】簡単な操作でテレビジョン放送等の映像を視聴した視聴者に対してターゲティング広告を行う。【解決手段】実施形態の広告提供装置は、映像の視聴履歴を取得する視聴履歴受信部と、前記映像中の内容に関連する広告情報を取得する広告情報取得部と、前記映像を受信した機器又は視聴したユーザについての広告表示要求を受信する広告要求受信部と、前記広告表示要求によって指定された機器又はユーザについて前記視聴履歴と前記広告情報とを照合して、前記広告表示要求によって指定された機器が受信した広告又は前記広告表示要求によって指定されたユーザによって視聴された広告に関連する広告情報を出力する照合部と、前記照合部が出力した広告情報を前記広告表示要求によって指定された機器に送信する広告配信部とを具備する。【選択図】図１
2014093695.tif 000002
【特許請求の範囲】
【請求項１】
映像の視聴履歴を取得する視聴履歴受信部と、
前記映像中の内容に関連する広告情報を取得する広告情報取得部と、
前記映像を受信した機器又は視聴したユーザについての広告表示要求を受信する広告要求受信部と、
前記広告表示要求によって指定された機器又はユーザについて前記視聴履歴と前記広告情報とを照合して、前記広告表示要求によって指定された機器が受信した広告又は前記広告表示要求によって指定されたユーザによって視聴された広告に関連する広告情報を出力する照合部と、
前記照合部が出力した広告情報を前記広告表示要求によって指定された機器に送信する広告配信部と
を具備する広告提供装置。
【請求項２】
前記広告表示要求によって指定された機器又はユーザの視聴の態様に基づいて、前記照合部が出力した広告情報を評価して評価値を求め、所定の閾値を超える評価値を得た広告情報のみを前記広告配信部から配信させる評価部
を具備する請求項１に記載の広告提供装置。
【請求項３】
前記照合部は、前記視聴履歴によって得られる視聴されたチャンネルＩＤ及び視聴時刻の情報と、前記広告情報によって得られる広告が放送されたチャンネルＩＤ及び放送時刻の情報とに基づいて、あるいは、前記照合部は、前記視聴履歴によって得られる視聴された映像ＩＤ及びその映像の先頭からの視聴時間の情報と、前記広告情報によって得られる広告が放送された映像ＩＤ及びその映像の先頭からの視聴時間の情報とに基づいて、前記広告表示要求によって指定された機器が受信した広告又はユーザが視聴した広告に関連する広告情報を得る
請求項１又は２に記載の広告提供装置。
【請求項４】
前記視聴履歴受信部は、前記映像を受信する複数の映像受信機から送信された前記視聴履歴を受信し、
前記広告配信部は、前記広告表示要求を発した映像受信機に対して前記広告情報を配信する
請求項１乃至３のいずれか１つに記載の広告提供装置。
【請求項５】
前記視聴履歴受信部は、前記映像を受信する複数の映像受信機から送信された前記視聴履歴を受信し、
前記広告配信部は、前記広告表示要求を発した映像受信機に関連する表示端末装置に対して前記広告情報を配信する
請求項１乃至３のいずれか１つに記載の広告提供装置。
【請求項６】
前記映像は、テレビジョン放送映像、ＩＰＴＶ映像、ＶＯＤ映像のうちいずれか１つである
請求項１乃至３のいずれか１つに記載の広告提供装置。
【請求項７】
テレビジョン放送の視聴履歴を取得する視聴履歴受信部と、前記テレビジョン放送によって放送された広告に関連する広告情報を取得する広告情報取得部と、前記テレビジョン放送を受信した機器又は視聴したユーザについての広告表示要求を受信する広告要求受信部と、前記広告表示要求によって指定された機器又はユーザについて前記視聴履歴と前記広告情報とを照合して、前記広告表示要求によって指定された機器が受信した広告又は前記広告表示要求によって指定されたユーザによって視聴された広告に関連する広告情報を出力する照合部と、前記照合部が出力した広告情報を前記広告表示要求によって指定された機器に送信する広告配信部とを有する広告提供装置と、
前記広告提供装置に前記視聴履歴を送信する視聴履歴送信部と、自機又は前記テレビジョン放送を視聴したユーザについての前記広告表示要求を送信する広告情報要求部と、前記広告配信部から配信された広告情報を受信する広告情報受信部と、前記広告情報受信部によって受信した公告情報に基づく広告表示を表示させる広告表示制御部とを有するテレビジョン受信機と
を具備する広告提供システム。
【請求項８】
テレビジョン放送の視聴履歴を取得し、
前記テレビジョン放送によって放送された広告に関連する広告情報を取得し、
前記テレビジョン放送を受信した機器又は視聴したユーザについての広告表示要求を受信し、
前記広告表示要求によって指定された機器又はユーザについて前記視聴履歴と前記広告情報とを照合して、前記広告表示要求によって指定された機器が受信した広告又は前記広告表示要求によって指定されたユーザによって視聴された広告に関連する広告情報を出力し、
前記照合の結果出力された広告情報を前記広告表示要求によって指定された機器に送信する
広告提供方法。
【発明の詳細な説明】
【技術分野】
【０００１】
本発明の実施形態は、広告提供装置、広告提供システム及び広告提供方法に関する
【背景技術】
【０００２】
従来、様々な媒体を介して広告が提供されている。例えば、テレビジョン放送による広告やインターネットを用いたＷＷＷ（World Wide Web）による広告等の電子媒体による広告も行われている。このような広告は、一般に、提供者側のスケジュールに従って、ユーザに提供される。従って、ユーザは、提供される広告の出現を事前に知ることは困難であり、商品等の購入に際して、広告を商品の比較検討の目的に利用し難い。
【０００３】
そこで、ＷＷＷでは、閲覧したページや購入した商品の情報に基づいてユーザの興味を分析し、分析結果に応じてユーザの嗜好に合わせた広告を提供するターゲティング広告が採用されることがある。更に、同一番組を極めて多くの人が視聴するテレビジョン放送においてもこのようなターゲティング広告を採用することで、広告の利用を一層促進させることができるものと考えられる。
【０００４】
そこで、テレビジョン受像機においても、インターネット回線への接続を可能にし、インターネットを経由して広告を表示させる機能を付加することが考えられる。しかし、テレビジョン放送中の広告を見たユーザが、この広告に関連するＷＷＷのページにアクセスするための作業は極めて煩雑である。しかも、テレビジョン放送においては、リアルタイムで放送が行われることから、番組間のコマーシャルの放送部分はともかく、番組中に含まれる商品等の広告については映出された広告から商品等を把握することすら困難なことがある。このように、テレビジョン放送において視聴された商品、や、店舗や、各種情報等に関して、実際に見たユーザに対するターゲティング広告を、簡単な操作で提供することはできないという問題があった。
【先行技術文献】
【特許文献】
【０００５】
【特許文献１】特開２００９−１５２６６２号公報
【発明の概要】
【発明が解決しようとする課題】
【０００６】
本発明の実施形態は、簡単な操作でテレビジョン放送等の映像を視聴した視聴者に対してターゲティング広告を行うことができる広告提供装置、広告提供システム及び広告提供方法を提供することを目的とする。
【課題を解決するための手段】
【０００７】
実施形態の広告提供装置装置は、映像の視聴履歴を取得する視聴履歴受信部と、前記映像中の内容に関連する広告情報を取得する広告情報取得部と、前記映像を受信した機器又は視聴したユーザについての広告表示要求を受信する広告要求受信部と、前記広告表示要求によって指定された機器又はユーザについて前記視聴履歴と前記広告情報とを照合して、前記広告表示要求によって指定された機器が受信した広告又は前記広告表示要求によって指定されたユーザによって視聴された広告に関連する広告情報を出力する照合部と、前記照合部が出力した広告情報を前記広告表示要求によって指定された機器に送信する広告配信部とを具備する。
【図面の簡単な説明】
【０００８】
【図１】本発明の第１の実施の形態に係る広告提供装置を含む広告提供システムを示すブロック図。
【図２】視聴履歴格納部１２に格納された視聴履歴テーブルの一例を示す説明図。
【図３】広告情報格納部１３に格納された広告データテーブルの一例を示す説明図。
【図４】視聴チャンネルと広告の放送時間との関係を示す説明図。
【図５】広告表示を説明するための説明図。
【図６】広告サーバ１０の動作を説明するためのフローチャート。
【図７】本発明の第２の実施の形態を示すブロック図。
【図８】第２の実施の形態における広告表示を説明するための説明図。
【発明を実施するための形態】
【０００９】
以下、図面を参照して本発明の実施の形態について詳細に説明する。
【００１０】
（第１の実施の形態）
図１は本発明の第１の実施の形態に係る広告提供装置を含む広告提供システムを示すブロック図である。本実施の形態はテレビジョン放送を受信するテレビジョン受信機を例に説明するが、テレビジョン放送に限らず、各種映像を受信する映像受信機に適用可能である。
【００１１】
図１において、テレビジョン受信機（以下、ＴＶという）２０は、放送局からのデジタル放送信号に基づく映像を表示する機能を有する。例えば、ＴＶ２０は、図示しないアンテナにより受信したデジタル放送に対する選局、復調、デコード、映像信号処理等によって、デジタル放送によって伝送された番組の映像信号を取得する図示しない回路部を有する。なお、このようなデジタル放送信号の受信処理を行う構成は既存システムと同様であり、図示及び説明を省略する。ＴＶ２０の表示制御部２１は、取得した番組等の映像信号を表示部２２に与えて表示させる。
【００１２】
本実施の形態においては、ＴＶ２０は、ＴＶ２０の固有の機器ＩＤを記憶するＩＤ記憶部２３を有する。また、ＴＶ２０には、使用するユーザを登録する機能を有するＩＤ管理部２４が設けられている。ＩＤ管理部２４は、登録された各ユーザ毎のユーザＩＤをＩＤ記憶部２３に記憶させる。ＩＤ管理部２４は、番組を視聴中のユーザのユーザＩＤ及び機器ＩＤを番組視聴管理部２５に出力することもできるようになっている。ＴＶ２０は、ユーザ認証部２８を備えている。ユーザ認証部２８は、ユーザのログイン操作や、図示しないカメラによるユーザの撮影出力に対する画像認識処理等の各種認証処理によって、視聴中のユーザを検出して検出結果をＩＤ管理部２４に出力するようになっている。ＩＤ管理部２４は、ユーザの検出結果に応じたユーザＩＤを取得して番組視聴管理部２５に出力することもできる。
【００１３】
番組視聴管理部２５は、受信して表示した番組に関する情報、例えば、番組のチャンネルＩＤ、放送時間に関する情報等を視聴時間毎に管理して、視聴履歴記憶部２６に視聴時間毎の視聴履歴として記録することができる。また、番組視聴管理部２５は、各視聴履歴に対応して視聴中のユーザのユーザＩＤを視聴履歴記憶部２６に記録させることもできる。
【００１４】
番組視聴管理部２５は、視聴履歴送信部２７を制御して、所定のタイミングで、視聴履歴記憶部２６に記憶されている視聴履歴の情報を読み出して、図示しないネットワークに送信させることができる。例えば、視聴履歴送信部２７は、インターネット等のネットワークを介して視聴履歴を広告サーバ１０に送信することができるようになっている。
【００１５】
広告提供装置としての広告サーバ１０は、テレビジョン放送の視聴履歴の情報を取得する。例えば、履歴情報受信部１１は、図１のＴＶ２０と同様の構成を有して視聴履歴を送信可能な複数のテレビジョン受信機から、インターネット等のネットワークを介して視聴履歴の情報を受信する。履歴情報受信部１１は受信した各視聴履歴を視聴履歴格納部１２に与えて記憶させる。
【００１６】
視聴履歴格納部１２は、入力された各視聴履歴を各機器ＩＤ毎及び各機器の各ユーザＩＤ毎に管理して、視聴履歴テーブルとして記録するようになっている。
【００１７】
また、広告サーバ１０は広告情報格納部１３を有している。広告情報格納部１３は、各放送局のデジタル放送の番組中の広告に関する情報及びその広告に関連する情報が、広告データテーブルとして記録されている。
【００１８】
図２及び図３は夫々視聴履歴格納部１２に格納された視聴履歴テーブル、広告情報格納部１３に格納された広告データテーブルの一例を示す説明図である。
【００１９】
視聴履歴テーブルは、視聴時間毎の視聴履歴を記録しており、図２の例では、各視聴履歴は、機器ＩＤ、ユーザＩＤ、チャンネルＩＤ、視聴開始時刻、視聴終了時刻の情報を含む。例えば、図２の上から３つ目のレコードでは、２０１２年１０月１８日１７時１２分２２秒から２０時０１分１０秒までの間において、機器ＩＤが０００００１の機器において、ユーザＩＤが０Ａの人物によって、チャンネルＩＤが８のデジタル放送によって放送された番組が視聴されたことが分かる。
【００２０】
また、広告データテーブルは、各広告毎の情報を記録しており、図３の例では、各広告の情報は、全チャンネルの全広告のうちの各広告を特定するための広告ＩＤ、チャンネルＩＤ、広告の放送開始時刻、広告の放送終了時刻、ユーザが広告を識別する際の指標となる広告の名称、画像、ＵＲＬ等の情報を含む。更に、広告情報としては、広告が含まれる放送の番組名や番組内のコーナー名等を含んでいてもよく、ＵＲＬとしてはショップングサイトを示すものであってもよい。また、広告の名称として、「○○番組の○○コーナーで紹介された○○です」等の商品等を紹介する文章を記述してもよい。
【００２１】
例えば、図３の上から１つ目のレコードでは、２０１２年１０月１８日１５時１５分００秒から１５時２０分００秒までの間において、広告ＩＤ０００００３の広告がチャンネルＩＤ１のデジタル放送によって放送され、この広告の名称は、ラーメン○○であって、この広告に関する画像ファイルのファイル名が０００００１．ｊｐｇで、関連するＵＲＬがhttp://www.xxx.co.jpであることが分かる。
【００２２】
即ち、広告データテーブルは、番組内において放送された商品等について、放送されたチャンネル及び時間帯の情報（以下、広告特定情報という）と、放送された商品等に関連する情報（以下、広告関連情報という）とを、広告情報として、各広告毎に記録したものである。なお、広告情報としては、ショッピングチャンネル等の番組内において商品販売等の広告の目的で放送されたものに限らず、情報番組等の番組内で特に紹介された商品であってもよく、或いは、番組に使用された商品等であってもよい。更に、広告情報としては、商品や食料品等の物に限らず、店舗や旅行情報等の各種情報等であってもよい。
【００２３】
本実施の形態においては、広告サーバ１０は、照合部１４を有しており、照合部１４は、視聴履歴と広告特定情報とを照合することで、各機器や各ユーザ毎に視聴した広告情報を特定するようになっている。照合部１４には、広告要求受信部１７から広告表示要求が与えられる。広告表示要求によって、広告表示要求を行った機器又はユーザを特定することができる。
【００２４】
照合部１４は、視聴履歴格納部１２から視聴履歴テーブルを読み出し、広告情報格納部１３から広告データテーブルを読み出して、広告表示要求によって特定された機器又はユーザについての視聴履歴と広告特定情報とを照合する。照合部１４は、照合した結果、該当する機器やユーザが、一部又は全部を視聴した広告情報を評価部１５を介して出力することができるようになっている。なお、照合部１４は、特定期間、例えば、１ヶ月以内や１週間以内等の一定期間の視聴履歴のみを照合するようにしてもよい。
【００２５】
例えば、図２及び図３の例では、機器ＩＤが０００００１のユーザ０Ａについては、２０１２年１０月１８日の１５時１０分３０秒から１５時５３分０３秒まで視聴したチャンネルＩＤ１の番組中において、広告ＩＤ０００００１の広告情報が放送されたことが分かる。照合部１４は、この広告情報を、機器ＩＤが０００００１のユーザ０Ａからの広告要求に対して出力することができる。
【００２６】
評価部１５は、広告情報を視聴の態様等に応じて評価して、所定の閾値よりも評価値が高い広告情報を広告配信部１６に出力する。例えば、評価部１５は、視聴終了してからの経過時間が短い程、対応する広告を視聴した回数が多いほど、広告情報の放送時間に対する視聴時間の重なりの割合が大きい程、高い評価値を設定するようになっている。広告配信部１６は、入力された広告情報をインターネット等の図示しないネットワークを介して、広告要求情報の要求元に対して送信することができるようになっている。
【００２７】
同一機器又は同一ユーザからの広告要求に対して、照合部１４から複数の広告情報が出力されることが考えられる。評価部１５は、評価値が高い順に、所定数の広告情報を広告配信部１６に与えて送信させてもよい。
【００２８】
ＴＶ２０は、広告情報の表示を制御する広告表示制御部３４を備えている。広告表示制御部３４は、例えばユーザ操作に応じて、広告サーバ１０に対して広告情報の送信要求を発生して広告情報要求部３２に出力する。広告情報要求部３２は、ＩＤ管理部２４から、機器ＩＤ、ユーザＩＤが与えられており、機器ＩＤ及びユーザＩＤと共に、広告表示要求としてインターネット等のネットワークを介して広告サーバ１０に送信するようになっている。
【００２９】
また、ＴＶ２０は、広告サーバ１０からの広告情報を受信する広告情報受信部３３を有している。広告情報受信部３３は、図示しないネットワークを介して受信した広告情報を広告表示制御部３４に出力する。広告表示制御部３４は、広告情報に基づく広告表示の表示データを生成して、表示部２２に出力する。こうして、表示部２２の表示画面上において、広告情報に基づく広告表示を表示することができる。
【００３０】
次に、このように構成された実施の形態の動作について図４乃至図６を参照して説明する。図４は視聴チャンネルと広告の放送時間との関係を示す説明図であり、図５は広告表示を説明するための説明図である。図６は広告サーバ１０の動作を説明するためのフローチャートである。
【００３１】
ＴＶ２０は、ユーザの選局操作に応じたチャンネルのデジタル放送を受信して、表示部２２に放送番組を映出する。ＴＶ２０の番組視聴管理部２５は、ユーザがデジタル放送を視聴する毎に、視聴履歴を視聴履歴記憶部２６に記録させる。この視聴履歴の情報は、視聴履歴送信部２７によって広告サーバ１０に送信される。広告サーバ１０の履歴情報受信部１１は、図６のステップＳ１において、受信した履歴情報を視聴履歴格納部１２に与えて記録させる。こうして、視聴履歴格納部１２には、例えば、図２に示す視聴履歴テーブルが作成される。
【００３２】
一方、広告サーバ１０は、デジタル放送に含まれる広告に関連する広告情報を広告データテーブルとして広告情報格納部１３に保持する。例えば、広告情報格納部１３には、図３に示す広告データテーブルが格納される。
【００３３】
いま、図４に示す視聴が行われるものとする。図４は横軸に時間をとり、図４（ａ）によって所定のユーザの所定のテレビジョン受信機による受信チャンネルの変化を示し、図４（ｂ）によってチャンネルＩＤが８のチャンネル（以下、８チャンネルという）の広告の表示タイミングを示している。いま、ＴＶ２０と同一構成の所定のテレビジョン受信機において、所定のユーザが図４（ａ）に示すように、受信チャンネルを切換えて視聴を行うものとする。
【００３４】
図４は所定の時間帯に４チャンネルの番組を視聴し、次いで８チャンネルの番組に切換えた後、視聴を中止した例を示している。図４（ｂ）は８チャンネルにおいて、斜線部の期間に、広告ＣＭ１〜ＣＭ３が放送されたことを示している。図４（ａ），（ｂ）の比較から明らかなように、図４（ａ）に示す受信によって、広告ＣＭ１の一部ＣＭ１’と広告ＣＭ２とが視聴されたことが分かる。図４（ａ）に示す視聴履歴の情報が、広告サーバ１０の視聴履歴格納部１２に格納される。
【００３５】
いま、例えば、図４（ａ）に対応する視聴履歴が、図２の上から２つ目及び３つ目のレコードに記録されているものとする。即ち、機器ＩＤが０００００１の機器のユーザ０Ｂが、２０１２年１０月１８日１５時５３分０３秒に４チャンネルの視聴を開始し、１７時１２分２２秒にその視聴を終了すると共にチャンネルを切換えて、８チャンネルの視聴を開始し、２０時０１分１０秒にその視聴を終了するものとする。
【００３６】
また、図４（ｂ）に示す広告ＣＭ１，ＣＭ２が図３の上から２つ目及び３つ目のレコードに記録されているものとする。即ち、広告ＣＭ１は、広告ＩＤが０００００２の広告で、２０１２年１０月１８日１５時０７分２３秒から１７時１５分３０秒までの間に８チャンネルのデジタル放送の番組中で放送されたものであり、広告ＣＭ２は、広告ＩＤが０００００３の広告で、２０１２年１０月１８日１８時２０分３０秒から１９時０５分００秒までの間に８チャンネルのデジタル放送の番組中で放送されたものである。
【００３７】
図５（ａ）はＴＶ２０の表示部２２の表示画面４１上に表示された広告ＣＭ２の一場面を示している。広告ＣＭ２は、携帯電話を紹介する内容の番組である。図３から、この広告ＣＭ２中の一画像として、画像ファイル000003.jpgがあり、また、この広告ＣＭ２に関するＵＲＬとして、http://www.zzz.co.jpがあることが分かる。
【００３８】
ここで、ユーザが広告の表示を要求するものとする。広告表示制御部３４は、ユーザ操作による広告の表示要求が発生すると、表示部２２に、図５（ｂ）に示す広告表示領域４５を表示させると共に、広告サーバ１０に対する広告情報の送信要求を発生する。なお、図５（ｂ）は、ユーザがインターネット等にアクセスして情報を取得する情報取得モードにおけるメニュー画面４３を示しており、メニュー画面４３には、各情報提供元にアクセスするためのアイコン表示４４が表示されている。広告表示制御部３４は、例えば、ユーザが情報取得モードを設定することで、自動的に広告の表示要求を発生するようにすることもできる。
【００３９】
広告の表示要求は、広告情報要求部３２に供給され、広告情報要求部３２は、ＩＤ管理部２４から、機器ＩＤ、ユーザＩＤを読み出し、機器ＩＤと広告の表示要求操作を行ったユーザのユーザＩＤとを含む広告表示要求をインターネット等のネットワークを介して広告サーバ１０に送信する。
【００４０】
広告サーバ１０は、広告要求受信部１７を介して広告表示要求を受信する。照合部１４は、広告表示要求を行った機器及びユーザについて、視聴履歴と広告特定情報とを照合することで、視聴した広告情報を特定する。即ち、照合部１４は、広告特定情報によって指定された広告の放送時間において、広告の表示要求を発生した機器及びユーザによって当該広告を含む番組の視聴を行っていたか否かを判定する。
【００４１】
例えば、図２乃至図４の例において、機器ＩＤが０００００１、ユーザＩＤが０Ｂのユーザが広告の表示要求操作を行った場合には、照合部１４は、広告ＣＭ１である広告ＩＤが０００００２の広告及び広告ＣＭ３である広告ＩＤが０００００３の広告に関連する広告情報を読み出して、評価部１５に出力する（ステップＳ２）。
【００４２】
評価部１５は、ステップＳ３において、入力された広告情報を評価し、各広告情報の評価値を比較することで、送信する広告情報を決定する（ステップＳ３）。例えば、１つの広告情報のみを送信する設定であった場合には、例えば、評価部１５は、広告情報の放送時間に対する視聴時間の重なりの割合がより大きい広告情報を１つ選択するようにしてもよい。例えば、図４の例では、広告ＣＭ１については一部のみ視聴されたのに対し、広告ＣＭ２は全て視聴されていることから、評価部１５は、広告ＣＭ２に関連する広告情報を送信するように決定してもよい。広告配信部１６は、評価部１５によって送信が決定された広告情報をインターネット等の図示しないネットワークを介して、広告表示要求の要求元の機器に送信する（ステップＳ４）。
【００４３】
広告サーバ１０からの広告情報は、広告情報受信部３３によって受信される。広告情報受信部３３は、受信した広告情報を広告表示制御部３４に出力する。広告表示制御部３４は、広告情報に基づく広告表示の表示データを生成して、表示部２２に出力する。こうして、表示部２２の表示画面４１上における広告表示領域４５に、広告情報に基づく広告表示が表示される。
【００４４】
このように本実施の形態においては、ユーザのテレビジョン放送の視聴履歴に基づいて、ユーザが視聴した広告に関連する広告情報を特定することで、ユーザの視聴履歴に応じたターゲティング広告を行うことができ、ユーザが希望する広告表示を表示させることができる。また、ユーザが視聴した広告に関連する広告情報を、ユーザの視聴の態様に応じて選別して送信することができ、送信情報量が増大しすぎることを防止すると共に、ユーザが真に希望する広告表示のみを表示させることもできる。
【００４５】
（変形例）
上記第１の実施形態では、デジタル放送信号に基づく映像を対象としたが、これに限らずインターネットを介して配信されるＩＰＴＶ（Ｉｎｔｅｒｎｅｔ  Ｐｒｏｔｏｃｏｌ  ＴＶ）やＶＯＤ（Ｖｉｄｅｏ  Ｏｎ  Ｄｅｍａｎｄ）を対象としても良い。ＶＯＤを対象とする場合、操作履歴記憶部２６および広告記憶部１３はチャンネルの代わりに映像ＩＤを記憶する。また、視聴開始時刻および視聴終了時刻の代わりに映像コンテンツの先頭からの経過時刻を記憶する。これにより、デジタル映像信号に基づく映像以外でも広告表示することができる。
【００４６】
また、第１の実施形態の評価部１５は、視聴終了してからの経過時間が短い程、対応する広告を視聴した回数が多いほど、広告情報の放送時間に対する視聴時間の重なりの割合が大きい程、高い評価値を設定したが、これに限らず視聴終了してからの経過時間があらかじめ指定された時間に近い程、対応する広告を視聴した回数があらかじめ指定された回数に近い程、広告情報の放送時間に対する視聴時間の重なりのうちあらかじめ指定された区間の割合が大きい程、高い評価値を設定しても良い。あるいは、ユーザがチャンネル変更等の操作を行ってからの経過時間が短い程、広告情報を等倍で視聴している割合が大きい程、高い評価値を設定しても良い。また、映像に対してブックマークを付ける、チャプターを設定する、映像をダビングする、ＤＶＤ（Ｄｉｇｉｔａｌ  Ｖｅｒｓａｔｉｌｅ  Ｄｉｓｃ）やＢＤ（Ｂｌｕ−ｒａｙ  Ｄｉｓｃ）にアーカイブする等、ユーザ自身の映像に対する操作が多い程、高い評価値を設定しても良い。これにより、より効果的な広告を選ぶことができる。
【００４７】
（第２の実施の形態）
図７は本発明の第２の実施の形態を示すブロック図である。図７において図１と同一の構成要素には同一符号を付して説明を省略する。
【００４８】
第１の実施の形態においては、番組の視聴を行ったＴＶ２０において広告表示を行う例について説明した。これに対し、本実施の形態は、番組の視聴を行ったＴＶ２０にペアリングされ、ＴＶ２０と連携して表示を行う表示端末に広告表示を行う例を示している。
【００４９】
本実施の形態の表示端末３０は、図１のＴＶ２０に設けられていたユーザ認証部２８、広告情報要求部３２、広告情報受信部３３及び広告表示制御部３４と同一構成の回路部を備える。なお、図７ではＴＶ２０からこれらの構成を省略して示しているが、図７のＴＶ２０においてもこれらの構成を備えていてもよい。
【００５０】
表示端末３０は、更に、ＩＤ取得部３１及び表示部３５を有している。ＩＤ取得部３１は、図示しない有線又は無線ネットワークを介してＴＶ２０のＩＤ管理部２４から、ＴＶ２０の機器ＩＤ及び現在ＴＶ２０によって視聴を行っているユーザのユーザＩＤを取得する。ＩＤ取得部３１は、取得した機器ＩＤ及びユーザＩＤを広告情報要求部３２に出力する。こうして、表示端末３０の広告情報要求部３２は、機器ＩＤ及びユーザＩＤと共に、広告表示要求をインターネット等のネットワークを介して広告サーバ１０に送信することができる。
【００５１】
広告表示制御部３４は、広告情報受信部３３から広告情報が与えられ、広告情報に基づく広告表示の表示データを生成して、表示部３５に出力する。表示部３５は、表示画面上に、広告情報に基づく広告表示を表示する。
【００５２】
このように構成された実施の形態について図８の説明図を参照して説明する。図８は広告表示を説明するための説明図である。
【００５３】
本実施の形態おいても、第１の実施の形態と同様の動作が行われる。即ち、ＴＶ２０は、ユーザの選局操作に応じたチャンネルのデジタル放送を受信し、番組視聴管理部２５は、ユーザがデジタル放送を視聴する毎に、視聴履歴を視聴履歴記憶部２６に記録させる。視聴履歴送信部２７は、この視聴履歴の情報を広告サーバ１０に送信する。
【００５４】
一方、広告サーバ１０は、履歴情報受信部１１によって履歴情報を受信し、受信した履歴情報を視聴履歴格納部１２に与えて記録させる。また、広告サーバ１０は、デジタル放送に含まれる広告に関連する広告情報を広告データテーブルとして広告情報格納部１３に保持する。
【００５５】
ここで、ユーザが広告の表示を要求するものとする。表示端末３０は、ＩＤ取得部３１によってＴＶ２０のＩＤ管理部２４から機器ＩＤ及びユーザＩＤを取得している。表示端末３０の広告表示制御部３４は、ユーザ操作による広告の表示要求が発生すると、広告サーバ１０に対して広告情報の送信要求を発生する。広告の表示要求は、広告情報要求部３２に供給され、広告情報要求部３２は、ＩＤ管理部２４から、機器ＩＤ、ユーザＩＤを読み出し、機器ＩＤと広告の表示要求操作を行ったユーザのユーザＩＤとを含む広告表示要求をインターネット等のネットワークを介して広告サーバ１０に送信する。
【００５６】
広告サーバ１０は、照合部１４において、広告の表示要求を行った機器及びユーザについて、視聴履歴と広告特定情報とを照合することで、視聴した広告情報を特定して出力する。評価部１５は、照合部１４からの広告情報を評価し、各広告情報の評価値を比較することで、送信する広告情報を決定する。広告配信部１６は、評価部１５によって送信が決定された広告情報をインターネット等の図示しないネットワークを介して、広告要求情報の要求元の機器に送信する。
【００５７】
広告サーバ１０からの広告情報は、表示端末３０の広告情報受信部３３によって受信される。広告情報受信部３３は受信した広告情報を広告表示制御部３４に出力し、広告表示制御部３４は、広告情報に基づく広告表示の表示データを生成して表示部３５に出力する。こうして、表示部３５の表示画面上において広告情報に基づく広告表示が表示される。
【００５８】
例えば、図８（ａ）に示すように、ユーザがＴＶ２０の表示部２２の表示画面４１上に表示された広告を視聴したものとする。この広告の視聴に対して、表示部３５の表示画面５１には、図５（ｂ）に示すように、広告表示領域５２において、対応する広告表示が表示される。
【００５９】
このように本実施の形態においても、第１の実施の形態と同様の効果を得ることができる。
【００６０】
なお、上記実施の形態においては、テレビジョン受信機にペアリングされた表示端末が、テレビジョン受信機の機器ＩＤ及びユーザＩＤを読み出して、広告表示要求を発生する例について説明したが、ユーザＩＤによって各テレビジョン受信機の全てのユーザを一意に特定することができる場合には、テレビジョン受信機に登録したユーザＩＤと同一のユーザＩＤを表示端末に設定しておくことで、表示端末をテレビジョン受信機にペアリングすることなく、表示端末のみの操作によって、ユーザが視聴した広告に関連する広告情報に基づく広告表示を表示端末に表示させることが可能である。
【００６１】
本発明は、上記実施形態に限定されるものではなく、実施段階ではその要旨を逸脱しない範囲で種々に変形することが可能である。また、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【符号の説明】
【００６２】
１０…広告サーバ、１１…履歴情報受信部、１２…視聴履歴格納部、１３…広告情報格納部、１４…照合部、１５…評価部、１６…広告配信部、１７…広告要求受信部。
【図１】
2014093695.tif 000003
【図２】
2014093695.tif 000004
【図３】
2014093695.tif 000005
【図４】
2014093695.tif 000006
【図５】
2014093695.tif 000007
【図６】
2014093695.tif 000008
【図７】
2014093695.tif 000009
【図８】
2014093695.tif 000010